(57)【要約】【課題】本発明は、ハンガーを掛け吊す所定数のハンガーパイプを備え、一のハンガーパイプが上下方向に回転するハンガースタンドに関し、ハンガーを吊り掛けするパイプの回転に際して回転時の安全性の向上を図ることを目的とする。【解決手段】第２パイプ１９の両端を支持し、段違部１８Ａ，１８Ｂを備える２つの支持アーム１７Ａ，１７Ｂが支持柱１４Ａ，１４Ｂの略先端部分で回転自在に支持されるもので、支持アーム１７Ａ，１７Ｂの他端側と対応の支持柱１４Ａ，１４Ｂとの間に各支持アーム１７Ａ，１７Ｂの下降回転および上昇回転に対して付勢力を付加するバネ２５Ａ，２５Ｂが懸架され、各支持柱１４Ａ，１４Ｂの回転支持部分の段違い部分に、支持アーム１７Ａ，１７Ｂの初期位置で段違部１８Ａ，１８Ｂと当該支持柱１４Ａ，１４Ｂとの間に所定空間Ｘを確保させるストッパを設ける構成とする。【選択図】  図１
2006311936.tif 000002
【特許請求の範囲】
【請求項１】
所定数のハンガーが掛け吊りされる少なくとも一のパイプが下降回転および上昇回転するハンガースタンドであって、
２つの支持柱と、
それぞれ一端側で前記パイプ両端を支持し、それぞれ中間部分に段違部を備えて前記支持柱の略先端部分で回転自在に支持される２つの支持アームと、
少なくとも前記何れかの支持アームの他端側と対応の前記支持柱との間に懸架され、各支持アームの下降回転および上昇回転に対して付勢力を付加する少なくとも一の伸縮部材と、
前記それぞれの支持柱の略先端部分に設けられ、前記支持アームの初期位置で当該支持アームの前記段違部と当該支持柱との間に所定空間を確保させる回転停止部と、
を有することを特徴とするハンガースタンド。
【請求項２】
請求項1記載のハンガースタンドであって、前記それぞれの支持柱の先端部分に、前記支持アームの段違部と逆方向の段違部が設けられて当該段違部に上方固定アームが係合されるものであり、当該段違部に当該支持アームの初期位置で当該支持アームと当該上方固定アームとの間に所定空間を確保させる前記回転停止部が設けられることを特徴とするハンガースタンド。
【請求項３】
請求項１または２記載のハンガースタンドであって、前記支持柱と回転する支持アームで形成される少なくとも下方の前記所定空間を塞ぐ扇状部材が設けられることを特徴とするハンガースタンド。
【発明の詳細な説明】
【技術分野】
【０００１】
本発明は、ハンガーを掛け吊す所定数のハンガーパイプを備え、一のハンガーパイプが上下方向に回転するハンガースタンドに関する。
【背景技術】
【０００２】
近年、この種ハンガースタンドは押入内やクローゼット内に設置する場合や、床上に設置する場合など種々のものが知られている。例えば、省スペース化、収納性、ハンガー数の増加などの要請から、高い位置や奥まった位置での設置に応じた構成のものや、またハンガーパイプの上下２段の構成のものもある。何れの設置形態、使用形態においてもハンガーの取り出し易さが望まれ、特にハンガーパイプが可動式のものは安全性が望まれる。
【０００３】
例えば、高い位置や奥まった位置での設置に応じた構成のハンガースタンドとしては、下記の特許文献１に開示されたものがあり、ハンガーパイプを上下２段構成としたものとして開示されている。すなわち、特許文献１には、押入内やクローゼット内に設置されるハンガーラックが開示され、ハンガーを掛け吊すための竿杆が上下２段で構成されると共に、当該上下２段の竿杆を両側で支持するアームを、その中心部分で回転させるための脚柱、並びに第１および第２の案内軌道を設けた構成としたものである。
【０００４】
【特許文献１】特許第２９９０５０５号公報
【発明の開示】
【発明が解決しようとする課題】
【０００５】
しかしながら、特許文献１に開示されているものは、アームで支持された竿杆を回転させる構造のものであり、竿杆が回転する際に回転する各アームと固定状態の第２の案内軌道の直線部分とが交差する状態となり、いわゆるハサミ状態となって安全性に問題がある。
【０００６】
そこで、本発明は上記課題に鑑みなされたもので、ハンガーを吊り掛けするパイプの回転に際して回転時の安全性の向上を図るハンガースタンドを提供することを目的とする。
【課題を解決するための手段】
【０００７】
上記課題を解決するために、請求項１の発明では、所定数のハンガーが掛け吊りされる少なくとも一のパイプが下降回転および上昇回転するハンガースタンドであって、２つの支持柱と、それぞれ一端側で前記パイプ両端を支持し、それぞれ中間部分に段違部を備えて前記支持柱の略先端部分で回転自在に支持される２つの支持アームと、少なくとも前記何れかの支持アームの他端側と対応の前記支持柱との間に懸架され、各支持アームの下降回転および上昇回転に対して付勢力を付加する少なくとも一の伸縮部材と、前記それぞれの支持柱の略先端部分に設けられ、前記支持アームの初期位置で当該支持アームの前記段違部と当該支持柱との間に所定空間を確保させる回転停止部と、を有する構成とする。
【０００８】
請求項２、３の発明では、「前記それぞれの支持柱の先端部分に、前記支持アームの段違部と逆方向の段違部が形成されて当該段違部に上方固定アームが係合されるものであり、当該段違部に当該支持アームの初期位置で当該支持アームと当該上方固定アームとの間に所定空間を確保させる前記回転停止部が設けられる」構成であり、
「前記支持柱と回転する支持アームで形成される少なくとも下方の前記所定空間を塞ぐ扇状部材が設けられる」構成である。
【発明の効果】
【０００９】
請求項１の発明によれば、それぞれ一端側で前記パイプ両端を支持し、それぞれ中間部分に段違部を備える２つの支持アームが支持柱の略先端部分で回転自在に支持されるもので、少なくとも何れかの支持アームの他端側と対応の支持柱との間に各支持アームの下降回転および上昇回転に対して付勢力を付加する少なくとも一の伸縮部材が懸架され、各支持柱の回転支持部分に、支持アームの初期位置で当該支持アームの段違部と当該支持柱との間に所定空間を確保させる回転停止部を設けることにより、ハンガーを吊り掛けするパイプの回転に際して支持アームの段違部と支持柱との間に空間が確保されることから、挟まれ等を回避させることができ、回転時の安全性を向上させることができるものである。
【００１０】
請求項２の発明によれば、それぞれの支持柱の先端部分に、支持アームの段違部と逆方向の段違部が設けられて当該段違部に上方固定アームが係合されるものであり、当該段違部に当該支持アームの初期位置で当該支持アームと当該上方固定アームとの間に所定空間を確保させる回転停止部が設けられることにより、回転する支持アームの段違部と支持柱との間で空間が確保されると共に、回転する支持アームの段違部と支持柱に設けられた段違部に係合される上方固定アームとの間においても空間が確保されることから、挟まれ等を回避させることができ、回転時の安全性を向上させることができるものである。
【００１１】
請求項３の発明によれば、支持柱と回転する支持アームで形成される少なくとも下方の前記所定空間を塞ぐ扇状部材が設けられることにより、支持柱と支持アームの段違部との間に小空間しか確保されなくとも、挟まれ等を回避させることができ、安全性をより担保することができるものである。
【発明を実施するための最良の形態】
【００１２】
以下、本発明の最良の実施形態を図により説明する。
図１に、本発明に係る第１実施形態のハンガースタンドの構成斜視図を示す。図１において、ハンガースタンド１１は、２つの設置部１２Ａ，１２Ｂが、梁部１３でネジ止めにより懸架された各支持柱１４Ａ，１４Ｂの下端に設けられる。この支持柱１４Ａ，１４Ｂの上方には、設置面より、例えばハンガーに掛けられたロングコートを掛け吊るすことができる高さに第１パイプ１５が懸架されて固定される。
【００１３】
上記支持柱１４Ａ，１４Ｂの略先端部分に、回転軸１６Ａ，１６Ｂによって２つの支持アーム１７Ａ，１７Ｂを回転自在に支持する。当該支持アーム１７Ａ，１７Ｂは段違部１８Ａ，１８Ｂを有する段違い形状で形成され、一端側である先端間で第２パイプ１９の両端を支持する。そして、例えば一方の支持アーム１７Ａの所定位置に延引バー２０が設けられ、当該延引バー２０の先端にフリー状態の操作具２１が設けられる。この操作具２１の先端には球体把持部２２が設けられ、当該球体把持部２２の根元部分にストップリング２３が設けられる。
【００１４】
また、各支持アーム１７Ａ，１７Ｂの段違部１８Ａ，１８Ｂより下方に延出される他端側と、対応の各支持柱１４Ａ，１４Ｂに設けられた可動取付部２４Ａ，２４Ｂとの間に伸縮部材であるバネ２５Ａ，２５Ｂが懸架されるもので、支持アーム１７Ａ，１７Ｂの下降回転および上昇回転に対して付勢力を付加する。当該可動取付部２４Ａ，２４Ｂを移動させることによって、付勢力を調整して当該支持アーム１７Ａ，１７Ｂを下降回転させる際の操作力を軽減させることができる。なお、本実施形態では両側で２つのバネ２５Ａ，２５Ｂを設けた場合を示しているが、片方にのみ設けてもよい。
【００１５】
一方、上記支持柱１４Ａ，１４Ｂの先端部分には、当該支持柱１４Ａ，１４Ｂとは段違いにストッパ取付部２６Ａ，２６Ｂが設けられ、当該ストッパ取付部２６Ａ，２６Ｂに回転停止部であるストッパ２７Ａ，２７Ｂが取り付けられる。このストッパ２７Ａ，２７Ｂは、支持アーム１７Ａ，１７Ｂの下降回転および上昇回転のいずれにおいても停止手段となり、上昇回転終了（初期位置状態）において、支持柱１４Ａ，１４Ｂと支持アーム１７Ａ，１７Ｂの段違部１８Ａ，１８Ｂの下方側に空間Ｘを形成させる。
【００１６】
そして、支持柱１４Ａには、支持アーム１７Ａ，１７Ｂが初期位置（上方位置）に位置されているときに上記操作具２１の球体把持部２２を載置しておく載置部２８が設けられ、当該支持アーム１７Ａ，１７Ｂが下降回転して下方位置に位置されているときにバネ２５Ａ，２５Ｂの付勢力によって上昇しないように操作具２１のストップリング２３を掛け固定しておく係止部２９が設けられるものである。
【００１７】
そこで、図２に、図１のハンガースタンドの第２パイプ回転の構成斜視図を示す。図２（Ａ）において、まず、第１パイプ１５には、例えばロングコート等のハンガー３１が所定数掛け吊した後に、第２パイプ１９に、例えばジャケット等のハンガー３２を複数掛け吊るす場合（図２（Ｂ）の第２パイプ１９にハンガーがない状態）とし、このときに当該第２パイプ１９は上方に位置され、操作具２１の先端の球体把持部２２が載置部２８上に載置されている。
【００１８】
上記の状態より、操作具２１（球体把持部２２）を下方または下方手前斜めに引き操作すると、延引バー２０を介して支持アーム１７Ａ，１７Ｂと共に第２パイプ１９が回転軸１６Ａ，１６Ｂを回転中心として手前側に回転するもので、このときバネ２５Ａ，２５Ｂが伸張する。回転する支持アーム１７Ａ，１７Ｂ（段違部１８Ａ，１８Ｂの下方側）がストッパ２７Ａ，２７Ｂに当接することで、回転が規制され、操作具２１のストップリング２３を係止部２９に係止させることで第２パイプ１９を固定する。
【００１９】
そして、当該第２パイプ１９に所定数のハンガーを掛け吊した後に、操作具２１のストップリング２３を係止部２９より外し、当該操作具２１を略上方または斜め奥上方に押し上げることにより支持アーム１７Ａ，１７Ｂと共に第２パイプ１９が上方向に上昇回転する。このとき、上方への回転力はバネ２５Ａ，２５Ｂの付勢力によって上昇回転させる。なお、作業者において操作具２１（球体把持部２２）に上昇速度をコントロールすることも可能である。そして、図２（Ｂ）に示すようにハンガー３２が上方で掛け吊された状態となるものである。
【００２０】
一方、図２（Ｂ）の状態から第２パイプ１９に掛け吊されたハンガー３２を取り外す場合、上記同様に、操作具２１を引き操作して支持アーム１７Ａ，１７Ｂと共に第２パイプ１９を手前側に回動させることで、掛け吊されたハンガー３２が下方に降りた状態とさせるものである。このとき、上記同様に、回転する支持アーム１７Ａ，１７Ｂがストッパ２７Ａ，２７Ｂに当接することで、回転が規制され、操作具２１のストップリング２３を係止部２９に係止させることで第２パイプ１９を固定する。
【００２１】
なお、複数のハンガー３２が掛け吊された第２パイプ１９には、当該ハンガー３２群に応じた荷重が付与されており、この荷重に応じて可動取付部２４Ａ，２４Ｂの位置を可変させることによって、当該バネ２５Ａ，２５Ｂによる第２パイプ１７（支持アーム１７Ａ，１７Ｂ）への付勢トルクを上記荷重による荷重トルクとの間でバランス調整させることができる。
【００２２】
そして、当該第２パイプ１９より所定数のハンガー３２を外した後に、操作具２１のストップリング２３を係止部２９より外し、当該操作具２１を略上方または斜め奥上方に押し上げることにより支持アーム１７Ａ，１７Ｂと共に第２パイプ１９が上方向に上昇回転されるものである。
【００２３】
このように、ハンガー３２を吊り掛けするパイプ１９の回転に際して支持アーム１７Ａ，１７Ｂの段違部１８Ａ，１８Ｂと支持柱１４Ａ，１４Ｂとの間に空間Ｘが確保されることから、挟まれ等を回避させることができ、回転時の安全性を向上させることができるものである。
【００２４】
次に、図３に、図１のハンガースタンドの他の適用例の構成斜視図を示す。図３（Ａ）は、上述の図２では衣類を掛け吊すハンガー３１，３２を示したが、これに代えて引っ掛け部としてのハンガーフックを備えた小物入れラック３３を第２パイプ１９に所定数掛け吊した場合として示してある。同様に、図３（Ｂ）に示すように、引っ掛け部としてのハンガーフックを備えた所定段のボックス３４を所定数掛け吊すことも可能である。
【００２５】
すなわち、衣類に限らず小物入れやボックスを掛け吊して第２パイプ１９（支持アーム１７Ａ，１７Ｂ）を下方に回転させることによって容易に出し入れを行わせることができるもので、小スペースで多くの物を収納したり、整理することができるものである。なお、衣類を掛け吊す場合であっても洗濯物の物干しとして使用することもできるもので、小スペースで多くの洗濯物を掛け吊すことができるものである。これらの適用例は以下の実施形態においても同様である。
【００２６】
次に、図４に本発明に係る第２実施形態のハンガースタンドの構成斜視図を示すと共に、図５に図４のハンガースタンドにおけるロータリダンパおよびその取付けの説明図を示す。上記支持柱１４Ａ，１４Ｂの上記支持アーム１７Ａ，１７Ｂを回転支持する回転軸１６Ａ，１６Ｂに代えて、回転規制部であるロータリダンパ４１Ａ，４１Ｂを設けたものである。このロータリダンパ４１Ａ，４１Ｂは、例えばオイルが充填されており、支持アーム１７Ａ，１７Ｂを回転させるそれぞれの支持部分に設けられて、当該支持アーム１７Ａ，１７Ｂの上昇回転の回転速度を規制するものである。
【００２７】
すなわち、図５（Ａ）、（Ｂ）において、それぞれの支持柱１４Ａ，１４Ｂの回転支持部分には取付孔４２Ａ，４２Ｂが形成され、それぞれの支持アーム１７Ａ，１７Ｂの回転支持部分には取付孔４３Ａ，４３Ｂが形成されている。そして、これらの取付孔４２Ａ，４２Ｂ，４３Ａ，４３Ｂが合致するようにスペーサ４９Ａ（４９Ｂ）を介在させて支持アーム１７Ａ，１７Ｂを支持柱１４Ａ，１４Ｂの内側に重ねて位置させたときに、まず、支持柱１４Ａ，１４Ｂ側より取付孔４２Ａ，４２Ｂ（４３Ａ，４３Ｂ）を貫通させるようにワッシャ４４Ａ，４４Ｂを介在させて回転軸４５Ａ，４５Ｂが差し込まれる。
【００２８】
差し込まれた回転軸４５Ａ，４５Ｂに対して支持アーム１７Ａ，１７Ｂ側より当該回転軸４５Ａ，４５Ｂのピン貫通孔４６Ａ，４６Ｂにピン４７Ａ，４７Ｂが差し込まれ、当該ピン４７Ａ，４７Ｂに対応した溝が形成された取付固定部４８Ａ，４８Ｂで固定される。一方、支持柱１４Ａ，１４Ｂ側より回転軸４５Ａ，４５Ｂの頭部（キュービック形状）を嵌合させるようにロータリダンパ４１Ａ，４１Ｂが取り付けられてネジ止めにより固定されるものである。
【００２９】
このようなハンガースタンド１１を図２で説明すると、当該第２パイプ１９に所定数のハンガー３１を掛け吊した後に（図２（Ａ））、操作具２１のストップリング２３を係止部２９より外し、当該操作具２１を略上方または斜め奥上方に押し上げることにより支持アーム１７Ａ，１７Ｂと共に第２パイプ１９が上方向に上昇回転する。このとき、上方への回転力はバネ２５Ａ，２５Ｂの付勢力によって上昇回転されるが、上方への回転力はバネ２５Ａ，２５Ｂの上昇付勢力に対抗したロータリダンパ４１Ａ，４１Ｂの速度規制により低速で徐々に上昇回転されるものである。そして、図２（Ｂ）に示すようにハンガー３２が上方で掛け吊された状態となるものである。
【００３０】
このように、支持アーム１７Ａ，１７Ｂの回転支持部分にロータリダンパ４１Ａ，４１Ｂを設けることによって、支持柱１４Ａ，１４Ｂと支持アーム１７Ａ，１７Ｂとの間に小空間しか確保することができなくとも、ロータリダンパ４１Ａ，４１Ｂによって第２パイプ１９（支持アーム１７Ａ，１７Ｂ）がバネ２５Ａ，２５Ｂの付勢力によって急速に戻ることがなく、安全性を担保することができるものである。
【００３１】
なお、上記第２実施形態では、支持アーム１７Ａ，１７Ｂの上昇回転に対してロータリダンパ４１Ａ，４１Ｂにより回転速度規制を行った場合を示したが、下降回転に対しても回転速度規制させてもよい。この場合、ロータリダンパは単一であると、複数であるとを問わない。これによって、バネ２５Ａ，２５Ｂの調整を不要とすることができるものであるが、ロータリダンパ４１Ａ，４１Ｂに無理な力をかけないために大まかな調整を行ってもよい。
【００３２】
次に、図６に本発明に係る第３実施形態のハンガースタンドの構成斜視図を示すと共に、図７に図６のハンガースタンドにおける第２パイプ回転の説明図を示す。本実施形態では、ロータリダンパ４１Ａ，４１Ｂが設けられたものとして説明する。図６（Ａ）、（Ｂ）に示すハンガースタンド１１は、図１に示した支持柱１４Ａ，１４Ｂの先端部分に段違部５１Ａ，５１Ｂが取付けられる。この段違部５１Ａ，５１Ｂは、ストッパ取付部２６Ａ，２６Ｂと上方固定アーム５２Ａ，５２Ｂを嵌合する領域と有し、当該上方固定アーム５２Ａ，５２Ｂが嵌合されて長さが調整された後にネジ締め付け等により固定される。この上方固定アーム５２Ａ，５２Ｂは、設置床と天井との間で突っ張り状態として固定させるもので、上方固定アーム５２Ａ，５２Ｂの先端部分には保護ラバー５３Ａ，５３Ｂが設けられる。
【００３３】
すなわち、支柱１４Ａ，１４Ｂと段違部５１Ａ，５１Ｂを介在させた上方固定アーム５２Ａ，５２Ｂとは、支持アーム１７Ａ，１７Ｂの段違い形状に対して、互いに逆の段違い方向とされる。そして、図６（Ｂ）に示すように、第２パイプ１９が上方位置にあるときには、支持柱１４Ａ，１４Ｂの上方部分（上方固定アーム５２Ａ，５２Ｂ）と、支持アーム１７Ａ，１７Ｂの一端側（第２パイプ１９側）との間に空間Ｙ（例えば、２５〜５０ｍｍ）が確保され、支持柱１４Ａ，１４Ｂの下方部分（ロータリダンパ４１Ａ，４１Ｂ側）と、支持アーム１７Ａ，１７Ｂの他端側（バネ２５Ａ，２５Ｂが取り付けられる側）との間に空間Ｘ（同様の２５〜５０ｍｍ）が確保される。
【００３４】
そこで、図７において、図６（Ｂ）の状態より、操作具２１（球体把持部２２）を下方または下方手前斜めに引き操作すると、延引バー２０を介して支持アーム１７Ａ，１７Ｂと共に第２パイプ１９がロータリダンパ４１Ａ，４１Ｂを回転中心として手前側に回転される。回転する支持アーム１７Ａ，１７Ｂがストッパ２７Ａ，２７Ｂに当接すると、回転が規制され、操作具２１のストップリング２３を係止部２９に係止させることで第２パイプ１９を固定させる。
【００３５】
この状態より第２パイプ１９を上昇回転させる場合においても、上記同様に、操作具２１のストップリング２３を係止部２９より外し、当該操作具２１を略上方または斜め奥上方に押し上げることにより支持アーム１７Ａ，１７Ｂと共に第２パイプ１９が上方向に上昇回転されるが、上方への回転力はバネ２５Ａ，２５Ｂの上昇付勢力に対抗したロータリダンパ４１Ａ，４１Ｂの速度規制により低速で徐々に上昇回転されて図６（Ｂ）状態に戻るものである。
【００３６】
この場合、第２パイプ１９を上昇回転させたときにロータリダンパ４１Ａ，４１Ｂの故障等により上昇回転の速度が急に増しても、図６（Ｂ）の元の初期位置に戻った場合に、ストッパ取付部２７Ａ，２７Ｂにより空間領域Ｘ，Ｙが確保されていることから、支持柱１４Ａ，１４Ｂと支持アーム１７Ａ，１７Ｂとの間で不意に挟まれることが回避され、これによって安全性が担保されるものである。
【００３７】
次に、図８に、本発明に係る第４実施形態のハンガースタンドの構成斜視図を示す。図８において、図１に示すハンガースタンド１１の支持柱１４Ａ，１４Ｂの所定位置（例えば第１パイプ１５の取付け位置の下方近傍）に、後方に延出する後方固定部６１Ａ，６１Ｂが取り付けられるものである。この後方固定部６１Ａ，６１Ｂには、例えば後方壁に取り付けるためのネジ孔等が形成される。すなわち、図６および図７に示す上方固定アーム５２Ａ，５２Ｂが天井等が高くて適用することができない場合に、当該後方固定部６１Ａ，６１Ｂを後方壁等に固定させることで、同様の安定度の向上を図ることができるものである。なお、この第４実施形態のハンガースタンド１１に、図６および図７に示すロータリダンパ４１Ａ，４１Ｂを設けることとしてもよい。
【００３８】
次に、図９に本発明に係る第５実施形態における他の形態のハンガースタンドの構成斜視図を示すと共に、図１０に図９のハンガースタンドにおける第２パイプ回転の説明図を示す。図９に示すハンガースタンド１１は、図６に示される支持柱１４Ａ，１４Ｂと回転する支持アーム１７Ａ，１７Ｂとの間に形成される少なくとも下方空間Ｘ（図６（Ｂ）参照）に扇状部材である扇状プレート７１Ａ，７１Ｂを設けたものである。
【００３９】
上記扇状プレート７１Ａ，７１Ｂは、支持アーム１７Ａ，１７Ｂの例えば初期位置から下降回転停止位置までの円弧長で形成されたもので、当該支持アーム１７Ａ，１７Ｂの下方他端側の空間を塞ぐものである。このような、扇状プレート７１Ａ，７１Ｂは、設置場所に応じた設計で上記空間Ｘ，Ｙが例えば２５ｍｍより狭くせざるを得ない小空間しか確保できない場合に効果的となる。
【００４０】
すなわち、図１０に示すように、第２パイプ１９（支持アーム１７Ａ，１７Ｂ）を下降回転させた後に、図９に示すような初期位置に復帰させた場合、仮にロータリダンパ４１Ａ，４１Ｂが故障しても下方空間Ｙには扇状プレート７１Ａ，７１Ｂが存在して挟まれ等を回避させることができるものである。このように、支持柱１４Ａ，１４Ｂと支持アーム１７Ａ，１７Ｂとの間に小空間しか確保することができなくとも、ロータリダンパ４１Ａ，４１Ｂが故障した場合の挟まれ等を回避させることができ、安全性をより担保することができるものである。
【００４１】
なお、扇状プレート７１Ａ，７１Ｂを、下方の支持柱１４Ａ，１４Ｂより上方固定アーム５２Ａ，５２Ｂまでの略半円状として、上記図６に示すような下方空間Ｘと共に上方空間Ｙをも塞ぐものとしてもよいものである。これらを含めて、当該扇状プレート７１Ａ，７１Ｂは、上述の第１実施形態〜第４実施形態においても適宜適用させることができるものである。
【産業上の利用可能性】
【００４２】
本発明のハンガースタンドは、床上に設置させて、ハンガー掛け吊りパイプを回転させることで手の届かない位置での衣類、洗濯衣類のハンガーや、ハンガーフック等の引っ掛け部を備える小物入れ、収納ボックス等の掛け吊りや取り外しを行わせる場合として、一般家庭や衣料等の販売店で利用される場合に適している。
【図面の簡単な説明】
【００４３】
【図１】本発明に係る第１実施形態のハンガースタンドの構成斜視図である。
【図２】図１のハンガースタンドの第２パイプ回転の構成斜視図である。
【図３】図１のハンガースタンドの他の適用例の構成斜視図である。
【図４】本発明に係る第２実施形態のハンガースタンドの構成斜視図である。
【図５】図４のハンガースタンドにおけるロータリダンパおよびその取付けの説明図である。
【図６】本発明に係る第３実施形態のハンガースタンドの構成斜視図である。
【図７】図６のハンガースタンドにおける第２パイプ回転の説明図である。
【図８】本発明に係る第４実施形態のハンガースタンドの構成斜視図である。
【図９】本発明に係る第５実施形態のハンガースタンドの構成斜視図である。
【図１０】図９のハンガースタンドにおける第２パイプ回転の説明図である。
【符号の説明】
【００４４】
１１            ハンガースタンド
１４            支持柱
１５            第１パイプ
１７            支持アーム
１８，５１      段違部
１９            第２パイプ
２５            バネ
２７            ストッパ
３１，３２      ハンガー
４１            ロータリダンパ
５２            上方固定アーム
６１            後方固定部
７１            扇状プレート
【図１】
2006311936.tif 000003
【図２】
2006311936.tif 000004
【図３】
2006311936.tif 000005
【図４】
2006311936.tif 000006
【図５】
2006311936.tif 000007
【図６】
2006311936.tif 000008
【図７】
2006311936.tif 000009
【図８】
2006311936.tif 000010
【図９】
2006311936.tif 000011
【図１０】
2006311936.tif 000012